(57)【要約】【課題】  原稿積載トレイに搭載された混載原稿束における小サイズ原稿の斜行を確実に防止する。【解決手段】  前後幅サイズの異なる縦置き原稿Ｐ１および横置き原稿Ｐ２が積層されてなる混載原稿束Ｐを積載可能に構成された原稿積載トレイ２０２と、この原稿積載トレイ２０２に積載された混載原稿束Ｐから原稿を１枚ずつ繰り出して所定の原稿画像読み取り位置へ給送する原稿給送ユニット３０とを備え、原稿給送ユニット３０は、原稿積載トレイ２０２に積載された混載原稿束Ｐの先端縁部と対向する状態で原稿積載トレイ２０２の幅方向中央部に設けられたピックアップローラ５２を有し、ピックアップローラ５２の一方の端部の外側位置に原稿の表面に当接して摩擦力を付与する摩擦力付与部材（本実施形態では従動ローラ部材６０）が設けられ、この摩擦力付与部材は、原稿の表面に対する当接面がピックアップローラ５２より原稿給紙方向の上流側に位置するように設置位置が設定されている。【選択図】      図３
2005314063.tif 000002
【特許請求の範囲】
【請求項１】
幅サイズの異なる少なくとも小サイズおよび大サイズの原稿が積層されてなる原稿束を積載可能に構成された原稿積載トレイと、この原稿積載トレイに積載された原稿束から原稿を１枚ずつ繰り出して所定の原稿画像読み取り位置へ給送する原稿給送機構とを備え、前記原稿給送機構は、前記原稿積載トレイに積載された原稿束の先端縁部と対向する状態で前記原稿積載トレイの幅方向中央部に設けられた給紙ローラを有してなる原稿給紙装置において、
前記給紙ローラの端部の外側位置に原稿の表面に当接して摩擦力を付与する摩擦力付与部材が設けられ、
この摩擦力付与部材は、前記給紙ローラより原稿給紙方向の上流側に位置し、かつ、当該摩擦力付与部材の原稿束に対する当接面が前記小サイズの原稿と対向するように設置位置が設定されていることを特徴とする原稿給紙装置。
【請求項２】
前記摩擦力付与部材は、前記原稿束の上面に弾性的に当接する弾性部材であることを特徴とする請求項１記載の原稿給紙装置。
【請求項３】
前記摩擦力付与部材は、前記原稿束の上面に弾性的に当接して従動回転する従動ローラであることを特徴とする請求項１記載の原稿給紙装置。
【発明の詳細な説明】
【技術分野】
【０００１】
本発明は、複写機やファクシミリ装置等の画像形成装置への適用が好適な、原稿を読み取り位置へ給紙するための原稿給紙装置に関するものである。
【背景技術】
【０００２】
従来、特許文献１に記載されているような原稿給紙装置が知られている。この原稿給紙装置は、サイズの異なる原稿が積層されてなる原稿束（混載原稿束）を積載可能な、いわゆる混載タイプの原稿積載トレイと、この原稿積載トレイの下流端に設けられた原稿搬送方向と直交する水平面上に位置するローラ軸回りに駆動回転する給紙ローラと、この給紙ローラと同軸で遊転可能に設けられたダミーローラとを備えて構成されている。そして、原稿束の先端縁部が給紙ローラおよびダミーローラと給紙トレイ上面との間に差し込まれた状態で給紙ローラが駆動されることにより、原稿束の最上位の原稿が順次繰り入れられて所定の原稿読み取り位置に送り込まれ、ここで原稿画像が読み込まれた後、所定の排紙トレイに排紙されるようになっている。
【０００３】
通常、給紙ローラは、使用頻度の高いサイズの原稿が適正に送り込まれる位置（通常原稿幅方向の中央部）に設けられているため、例えば高頻度サイズの原稿より小さいサイズの原稿が給紙ローラに掛かると、小サイズ原稿に加わる力が幅方向で不均等になり、これによって原稿が斜めになって送り込まれる、いわゆる斜行現象が生じることがあるが、特許文献１のものにあっては、ダミーローラが遊転しながら原稿を押えていることにより、小サイズ原稿の斜行が防止されることが期待される。
【特許文献１】特開２０００−１４３００９号公報
【発明の開示】
【発明が解決しようとする課題】
【０００４】
ところで、特許文献１に記載の原稿給紙装置において、例えば、図８に示すように、Ａ４サイズの縦置き原稿Ｐ１とＡ４サイズの横置き原稿Ｐ２との混載原稿束Ｐが横置き原稿Ｐ２を原稿積載トレイ１００の後方（図８の上方）の規制ガイド１０１に当接されるようにして一対の規制ガイド１０１間の原稿積載トレイ１００上に積載された状態で、給紙ローラ１０３がローラ軸１０２回りに駆動回転されると、横置き原稿Ｐ２が最上位に位置したときには、当該最上位の横置き原稿Ｐ２に対し支点Ｏ回りに時計方向に向うモーメントが作用することになる。
【０００５】
このときの給紙ローラ１０３の作用点をＯ１、支点Ｏと作用点Ｏ１との間の前後方向の距離をＨ１、ダミーローラ１０４の作用点をＯ２、支点Ｏと作用点Ｏ２との間の前後方向の距離をＨ２とするとともに、給紙ローラ１０３が横置き原稿Ｐ２を搬送方向（図８の左方）に引っ張る引張り力をＦ１、ダミーローラ１０４が横置き原稿Ｐ２の支点Ｏ回りの回動を阻止する摩擦力をＦ２とした場合、給紙ローラ１０３により横置き原稿Ｐ２を支点Ｏ回りに時計方向に回動させるモーメントＭ１は「Ｆ１×Ｈ１」となる一方、ダミーローラ１０４がこの回動を阻止するモーメントＭ２は「Ｆ２×Ｈ２」となる。
【０００６】
そして、距離Ｈ１と距離Ｈ２とはそれ程差がないのに対し、ダミーローラ１０４の摩擦力Ｆ２は、当該ダミーローラ１０４がローラ軸１０２回りに回転自在に軸支されていることから転がり摩擦であり、滑り摩擦に起因する給紙ローラ１０３の引張り力Ｆ１に比べて極めて小さな値になっている。したがって、横置き原稿Ｐ２がたとえ相当大きな力でダミーローラ１０４により押圧されていても、ダミーローラ１０４が回転してしまうことによってモーメントＭ１がモーメントＭ２より格段に大きくなってしまうことから、横置き原稿Ｐ２の時計回りの回動を抑えることは極めて困難であり、結局、特許文献１に記載のものは、横置き原稿Ｐ２の斜行を確実に防止することができないという問題点が存在するものである。
【０００７】
本発明は、かかる問題点を解決するためになされたものであり、原稿積載トレイに搭載された混載原稿束における小サイズの原稿の斜行を確実に防止することが可能な原稿給紙装置を提供することを目的としている。
【課題を解決するための手段】
【０００８】
請求項１記載の発明は、幅サイズの異なる少なくとも小サイズおよび大サイズの原稿が積層されてなる原稿束を積載可能に構成された原稿積載トレイと、この原稿積載トレイに積載された原稿束から原稿を１枚ずつ繰り出して所定の原稿画像読み取り位置へ給送する原稿給送機構とを備え、前記原稿給送機構は、前記原稿積載トレイに積載された原稿束の先端縁部と対向する状態で前記原稿積載トレイの幅方向中央部に設けられた給紙ローラを有してなる原稿給紙装置において、前記給紙ローラの端部の外側位置に原稿の表面に当接して摩擦力を付与する摩擦力付与部材が設けられ、この摩擦力付与部材は、前記給紙ローラより原稿給紙方向の上流側に位置し、かつ、当該摩擦力付与部材の原稿束に対する当接面が前記小サイズの原稿と対向するように設置位置が設定されていることを特徴とするものである。
【０００９】
かかる構成によれば、原稿積載トレイに積載された原稿束の最上位の原稿は、給紙ローラの駆動回転によって順次繰り出されて原稿画像読み取り位置へ向けて送り出されることになる。そして、原稿束中に存在する幅サイズが小さい方の各原稿（小サイズ原稿）を摩擦付与部材が設けられている側と反対側に寄せた状態で原稿束を形成し、この原稿束を原稿積載トレイに積載して給紙ローラを駆動すれば、給紙ローラの駆動で繰り出される原稿が幅サイズの大きい原稿（大サイズ原稿）の場合には、給紙ローラが大サイズ原稿の幅方向の中央部に位置していることによる原稿幅方向のバランス確保で大サイズ原稿は斜行しない。
【００１０】
これに対し、原稿束の最上位の原稿が小サイズ原稿になったときには、当該小サイズ原稿は、給紙ローラに対して原稿幅方向でバランスが確保されていない状態になっているため、小サイズ原稿の給紙ローラに当接している方の側部（一方の側部）が他方の側部より速やかに前進する傾向になることから、小サイズ原稿に他方の側部の所定の支点回りのモーメントが作用し、これによって小サイズ原稿が斜行しようとするが、摩擦力付与部材を給紙ローラの一方の側部側に設けておくことにより、原稿の表面に対する当接面が前記給紙ローラより原稿給紙方向の上流側に位置設定された当該摩擦付与部材の摩擦力が前記モーメントに対抗し、これによって小サイズ原稿の斜行が阻止される。
【００１１】
請求項２記載の発明は、請求項１記載の発明において、前記摩擦力付与部材は、前記原稿束の上面に弾性的に当接する弾性部材であることを特徴とするものである。
【００１２】
かかる構成によれば、請求項１の発明と同様の小サイズ原稿斜行防止作用を確保した上で、原稿の斜行防止構造の簡素化が実現する。
【００１３】
請求項３記載の発明は、請求項１記載の発明において、前記摩擦力付与部材は、前記原稿束の上面に弾性的に当接して従動回転する従動ローラであることを特徴とするものである。
【００１４】
かかる構成によれば、原稿に押圧当接した従動ローラの従動回転によって当該原稿の円滑な送り込みを確保し得るようにした上で、小サイズ原稿の所定の支点回りに作用するモーメントに対し従動ローラの軸心方向に向う滑り摩擦力が対抗することで小サイズ原稿の斜行が確実に防止される。
【発明の効果】
【００１５】
請求項１記載の発明によれば、原稿積載トレイに積載された原稿束の最上位の原稿が小サイズ原稿になったときには、小サイズ原稿に所定の支点回りのモーメントが作用し、これによって小サイズ原稿が斜行しようとするが、摩擦力付与部材を前記支点の反対側における給紙ローラの側部上流側に設けておくことにより、当該摩擦付与部材の摩擦力が前記モーメントに対抗するため、小サイズ原稿の斜行を阻止することができる。
【００１６】
このように、摩擦力付与部材を、原稿の表面に対する当接面が前記給紙ローラより原稿給紙方向の上流側に位置するように設けておくことにより、簡単な構成でありながら、混載原稿束であっても小サイズ原稿が斜行することを確実に防止することができ、原稿を常に適正な姿勢で原稿読み取り位置へ送り込むことが可能になるため、不適正な原稿の読み取りを確実に防止することができる。
【００１７】
請求項２記載の発明によれば、摩擦力付与部材として原稿束の上面に弾性的に当接して従動回転する従動ローラが採用されているため、原稿に押圧当接した従動ローラの従動回転によって当該原稿の円滑な送り込みを確保した上で、小サイズ原稿の所定の支点回りに作用するモーメントに対し従動ローラの軸心方向に向う滑り摩擦力が対抗することで小サイズ原稿の斜行を確実に防止することができる。
【００１８】
請求項３記載の発明によれば、摩擦力付与部材として原稿束の上面に弾性的に当接する弾性部材が採用されているため、請求項１の発明と同様の小サイズ原稿斜行防止作用を確保した上で、原稿の斜行防止構造の簡素化を実現することができる。
【発明を実施するための最良の形態】
【００１９】
図１は、本発明に係る原稿給紙装置が適用された画像形成装置の一実施形態の概略を示す正面断面視の説明図である。図１に示すように、画像形成装置１０は、図１に示すような箱形を呈する装置本体１１を有し、この装置本体１１の上部に原稿からその画像を読み取る原稿読取部１２が設けられているとともに、装置本体１１内における原稿読取部１２より下方位置には、原稿読取部１２によって読み取られた原稿の画像情報に基づき画像を形成する画像形成部１３と、この画像形成部１３によって形成され、用紙Ｐ０に転写された画像に定着処理を施す定着部１４と、転写用の用紙Ｐ０を貯留する用紙貯留部１５とが内装されている。
【００２０】
前記原稿読取部１２は、本発明に係る原稿給紙装置２０と、この原稿給紙装置２０によって給紙された原稿の原稿情報を装置本体１１の上面に設けられたコンタクトガラス１２２を介して読み取る光学系ユニット１２１とを備えて構成されている。前記コンタクトガラス１２２は、載置された原稿の原稿面を読み取るための、原稿給紙装置２０より若干小さい平面形状を有する載置原稿用コンタクトガラス１２３と、自動給紙された原稿の原稿面を読み取る前後方向（図１の紙面に直交する方向）に長尺の細長い自動給紙用コンタクトガラス１２４とを備えている。
【００２１】
前記原稿給紙装置２０は、二段構造で構成され、上段に設けられた原稿を載置するための原稿積載トレイ２０２と、下段に設けられた画像読み取り済の原稿が排紙される原稿排紙トレイ２０４とを有している。原稿給紙装置２０の左側部には、原稿積載トレイ２０２と原稿排紙トレイ２０４との間に介設された後述する自動給紙部２０３が設けられ、この自動給紙部２０３によって原稿積載トレイ２０２上に載置された原稿束から１枚ずつがピックアップされて自動給紙用コンタクトガラス１２４へ供給され、移動しながらこの自動給紙用コンタクトガラス１２４を介して光学系ユニット１２１によリ原稿面が読み取られるようになっている。
【００２２】
光学系ユニット１２１は、図略の光源や複数のミラー、レンズユニット、さらにはＣＣＤ（ｃｈａｒｇｅ  ｃｏｕｐｌｅｄ  ｄｅｖｉｃｅ）等を有している。そして、光源からの光が原稿面で反射され、この反射光がこれらミラーおよびレンズユニットを介して原稿上方としてＣＣＤに入力されるようになっている。ＣＣＤに入力されたアナログ量としての原稿情報は、デジタル信号に変換され、デジタルの原稿情報として所定の記憶装置に記憶されるようになっている。
【００２３】
前記画像形成部１３は、用紙貯留部１５から給紙された用紙にトナー画像を形成させるものであり、本実施形態では、上流側（図１の紙面の右側）から下流側へ向けて順次配設されたイエロー用ユニット１３Ｙと、マゼンタ用ユニット１３Ｍと、シアン用ユニット１３Ｃと、ブラック用ユニット１３Ｋとを有している。
【００２４】
各ユニット１３Ｙ，１３Ｍ，１３Ｃ，１３Ｋには、感光体ドラム１３１および現像装置１３２がそれぞれ備えられている。各感光体ドラム１３１は、図１において時計方向へ向けて回転しつつ対応した現像装置１３２からトナーの供給を受けるようになっている。
【００２５】
各感光体ドラム１３１の図１における上方右寄りの位置には帯電部１３３がそれぞれ設けられているとともに、同上方左寄りの位置には露光部１３４がそれぞれ設けられている。そして、各感光体ドラム１３１は、前記帯電部１３３によって周面が一様に帯電され、原稿読取部１２で入力された画像データに基づくレーザー光が前記各露光部１３４から帯電後の感光体ドラム１３１の周面に照射されることにより、各感光体ドラム１３１の周面に静電潜像が形成されるようになっている。かかる静電潜像に現像装置１３２からトナーが供給されることにより、感光体ドラム１３１の周面にトナー像が形成されるようになっている。
【００２６】
また、各感光体ドラム１３１の図２における左方下部位置には感光体ドラム１３１の周面の残留トナーを除去してクリーニングするクリーニング装置１３５が設けられている。クリーニング装置１３５によって清浄化処理された感光体ドラム１３１の周面は、新たな帯電処理のために帯電部１３３へ向かうことになる。
【００２７】
各感光体ドラム１３１の下方位置には、搬送面が各感光体ドラム１３１と対向するように配設された搬送ベルト１３６が設けられている。この搬送ベルト１３６は、ブラック用ユニット１３Ｋの若干下流側に設けられた駆動ローラ１３７と、イエロー用ユニット１３Ｙの若干上流側に設けられた従動ローラ１３８とに掛け回され、駆動ローラ１３７の駆動回転駆動によって周回するようになっている。そして、用紙貯留部１５から供給された用紙は、この搬送ベルト１３６の周回に誘導されて感光体ドラム１３１の周面に当接しながら移動し、転写処理が施されるようになっている。
【００２８】
前記定着部１４は、画像形成部１３で転写された用紙上のトナー像に対し定着処理を施すものであり、上下で対向配置されたヒートローラ１４１と加圧ローラ１４２とを備えている。搬送ベルト１３６の周回によって画像形成部１３から導出された転写処理済の用紙は、これらヒートローラ１４１および加圧ローラ１４２間で加熱されつつ押圧挟持されることによる熱処理でトナー画像が定着され、用紙上に安定したカラー画像が形成される。定着処理の完了したカラー画像付の用紙は、排紙搬送路１７１を通って装置本体１１の左側壁から突設された排紙トレイ１７へ向けて排出される。
【００２９】
前記用紙貯留部１５は、装置本体１１に挿脱自在に装着された複数段の用紙トレイ１５１を有している。各用紙トレイ１５１には、それぞれ用紙束が貯留されるようになっている。そして、選択された用紙トレイ１５１の用紙束からピックアップローラ１５２の駆動で用紙Ｐ０が１枚ずつ繰り出され、給紙搬送路１５３を通って画像形成部１３へ導入されるようになっている。
【００３０】
また、本実施形態の画像形成装置１０においては、装置本体１１内に用紙Ｐ０に対して両面印刷を行うための用紙反転部１６が設けられている。この用紙反転部１６は、画像形成部１３と用紙貯留部１５との間に介設された、片面に定着処理後の画像を有する用紙Ｐ０を一時的に貯留する中間トレイ１６１と、定着部１４の直下流位置に設けられ、定着処理後の用紙Ｐ０に対して排紙搬送路１７１および返送搬送路１７２のいずれか一方に用紙Ｐ０を振り分ける切換ガイド１６２と、一旦中間トレイ１６１に排紙された用紙Ｐ０を後端側から排紙する反転ローラ対１６３とを備えている。
【００３１】
そして、前記切換ガイド１６２の切り換え操作によって返送搬送路１７２および反転ローラ対１６３を介して一旦中間トレイ１６１へ排紙された用紙Ｐ０は、反転ローラ対１６３の逆回転によって後端側から排出され、反転搬送路１８を通って給紙搬送路１５３へ向わせられるようになっている。この給紙搬送路１５３へ供給された表裏反転後の用紙Ｐ０は、再度画像形成部１３へ供給されることにより裏面側に対して転写処理が施されることになる。
【００３２】
図２は、原稿給紙装置２０の一実施形態を示す斜視図である。また、図３は、原稿給紙装置２０の要部の断面図であり、（イ）は、ピックアップローラ５２を保持するハウジング４０が退避姿勢に姿勢設定された状態、（ロ）は、同ハウジング４０が給紙姿勢に姿勢設定された状態をそれぞれ示している。また、図４は、原稿給紙装置２０の平面図であり、図５は、原稿給送ユニット（原稿給送機構）３０の斜視図である。なお、これらの図において、Ｘ−Ｘ方向を左右幅方向、Ｙ−Ｙ方向を前後方向といい、特に−Ｘ方向を左方、＋Ｘ方向を右方、−Ｙ方向を前方、＋Ｙ方向を後方という。
【００３３】
まず、図２に示すように、原稿給紙装置２０は、装置本体１１の上面に後縁部を支点として回動することで開閉可能に装着された本体部２０１と、この本体部２０１の上方に設けられた原稿積載トレイ２０２と、本体部２０１の左側部上で前記原稿給紙装置２０２の下流端（左端）に連設された自動給紙部２０３とを備えている。前記本体部２０１の上面には、自動給紙部２０３で原稿画像の読み取られた原稿が排紙される原稿排紙トレイ２０４が形成されているとともに、原稿積載トレイ２０２の左方位置には前後方向一対の規制ガイド（側壁）２０５が設けられている。
【００３４】
これらの規制ガイド２０５は、原稿積載トレイ２０２に積載された原稿束を前後幅方向で揃えるためのものであり、原稿積載トレイ２０２の後部側に設けられた後部規制ガイド２０５ａと、同前部側に設けられた前部規制ガイド２０５ｂとからなり、前後幅方向の両端縁から左右幅方向に延びた状態で上方に向けて突設されている。かかる前部および後部規制ガイド２０５ａ，２０５ｂは、原稿積載トレイ２０２の左右幅方向に延びる中心線に対して前後方向で対称になり、かつ、両者間の寸法が可変に構成されている。
【００３５】
前記自動給紙部２０３は、着脱自在のカバー２０６によって覆われている。かかる自動給紙部２０３は、図３に示すように、原稿積載トレイ２０２に載置された原稿を機器本体１１内に送り込む原稿給送ユニット３０と、この原稿給送ユニット３０に装着された従動ローラ部材（摩擦力付与部材）６０とを備えて構成されている。
【００３６】
前記原稿給送ユニット３０は、前後幅方向一対のフレーム部２０７（図２）間に架設されるローラ軸３１と、このローラ軸３１の中央部に装着されるハウジング４０と、このハウジング４０に支持される給送ローラ対５０とを備えている。ローラ軸３１は、幅方向一対のフレーム部２０７間であって、規制ガイド２０５（図２）より若干下流側に架設されている。
【００３７】
前記ハウジング４０は、給送ローラ対５０を支持するためのものであり、天板４１と、この天板４１の両側部が下方に向けて折り曲げられることにより形成した前後方向一対の側板４２とを備えている。かかるハウジング４０の一対の側板４２には前記ローラ軸３１が貫通されている。
【００３８】
このようなハウジング４０は、ローラ軸３１より上流側（図３の右側）の端部が下方に下がって原稿を給送し得るようになった給紙姿勢と、同上流側端部が上方に退避した退避姿勢との間で姿勢変更可能になっている。ハウジング４０が退避姿勢に姿勢設定された状態で原稿束が原稿積載トレイ２０２上に供給される。
【００３９】
前記給送ローラ対５０は、原稿積載トレイ２０２上に載置された状態で一対の規制ガイド２０５に挟持され、且つ図略のストッパに当止されることにより位置決めされた原稿束から原稿を１枚ずつ自動給紙用コンタクトガラス１２４（図１）に向けて給送するものであり、図５に示すように、ハウジング４０の側板４２間においてローラ軸３１に同心で一体回転可能に装着された給送ローラ５１と、この給送ローラ５１の上流側（右側）で側板４２間に設けられたピックアップローラ（給紙ローラ）５２とからなっている。ピックアップローラ５２は、ハウジング４０の一対の側板４２間に架設されたピックアップローラ軸５３回りに回転可能に軸支されている。
【００４０】
ピックアップローラ軸５３は、原稿積載トレイ２０２上に載置された原稿束の先端縁部が図略のストッパによって位置決めされた状態で、ピックアップローラ５２の周面が当該原稿の最上位のものに当接するように設置位置が設定され、ピックアップローラ５２の回転によって原稿束の最上位の原稿が引き取られて給送ローラ５１へ向かうようになされている。ピックアップローラ５２によって取り込まれた原稿は、下流側の給送ローラ５１の回転で自動給紙部２０３内の搬送ガイド板２０８（図３）に案内されつつその下流側に設けられたレジストローラ２０９と搬送ローラ５４に挟持され、搬送ローラ５４のの回転によって自動給紙用コンタクトガラス１２４へ向けて給送される。
【００４１】
そして、ハウジング４０内における図５に示す給送ローラ５１の後側部には、ローラ軸３１と一体で同心の図略の給紙ローラ用ギヤが設けられているとともに、同ピックアップローラ５２の後側部には、ピックアップローラ軸５３回りに回転自在に軸支された図略のピックアップローラ軸用ギヤが設けられている。このピックアップローラ軸用ギヤと前記給紙ローラ用ギヤとの間には図略の中間ギヤが介設され、これによって給送ローラ５１とピックアップローラ５２とは原稿を引き込むように同一方向に回転するようになっている。
【００４２】
また、ローラ軸３１には給送ローラ側ワンウエイクラッチ５１１が介設されているとともに、ピックアップローラ軸５３にはピックアップローラ側ワンウエイクラッチ５２１が介設されている。
【００４３】
これら各ワンウエイクラッチ５１１，５２１の作用によって、原稿積載トレイ２０２上の所定位置に原稿が載置され、且つ原稿の束の前縁部がストッパに当止された状態で、所定のスタートボタンが押下される前にハウジング４０がローラ軸３１回りに図３の（イ）における時計方向に回動され、これによって原稿積載トレイ２０２上に載置された原稿が原稿積載トレイ２０２とピックアップローラ５２との間に押圧挟持されるようになっている。
【００４４】
また、これら各ワンウエイクラッチ５１１，５２１の作用によって図略の駆動手段原稿を引き込む方向に駆動しているときには給送ローラ５１およびピックアップローラ５２が各ギヤと一体回転する一方、駆動手段が逆駆動するとき（給紙姿勢に姿勢設定されていたハウジング４０が退避姿勢に姿勢変更されるときに駆動手段が逆駆動される）には各ローラ５１，５２は回転しないようになされている。
【００４５】
図６は、従動ローラ部材６０の一実施形態を示す斜視図である。図６に示すように、従動ローラ部材６０は、板ばね材によって形成された従動ローラ支持部材６１と、この従動ローラ支持部材６１に支持された従動ローラ６２とを備えて構成されている。前記従動ローラ支持部材６１は、幅方向に長尺の板ばね部６１１と、この板ばね部６１１の右端側に下方に向かって折り曲げられることによって形成された前後幅方向一対の軸支片６１２とを備えている。そして、前記一対の軸支片６１２間に従動ローラ支持軸６３が架設され、前記従動ローラ６２は、この軸心位置が前記従動ローラ支持軸６３に回転自在に外嵌されている。
【００４６】
かかる従動ローラ部材６０は、板ばね部６１１の左側部に穿設された貫通孔６１３にビスＢが差し通された状態で、当該ビスＢが、図５に示すように、ハウジング４０の天板４１におけるピックアップローラ５２より前方側に螺着されることにより、ハウジング４０に取り付けられるようになっている。
【００４７】
前記従動ローラ支持部材６１は、従動ローラ部材６０がハウジング４０に装着された状態で、従動ローラ６２がピックアップローラ５２より右方に位置するように長さ寸法（左右幅寸法）が設定され、これによって、図４に示すように、原稿の表面に対する当接面が前記ピックアップローラ５２より原稿給紙方向の上流側に位置するようになっている。
【００４８】
また、前記板ばね部６１１は、長手方向の略中央部で上に凸になるように「く」の字状に折り曲げられ、これによって、従動ローラ部材６０がハウジング４０に取り付けられた状態で、図３の（イ）に示すように、従動ローラ６２の最下部がピックアップローラ５２の最下部より下方に位置するようになっている。
【００４９】
したがって、混載原稿束Ｐが原稿積載トレイ２０２上に積載された状態でハウジング４０が退避姿勢から給紙姿勢に姿勢変更されることにより、図３の（ロ）に示すように、従動ローラ部材６０の従動ローラ支持部材６１が上方に向かって向って弾性変形し、これによる弾性力で従動ローラ６２が混載原稿束Ｐを原稿積載トレイ２０２に向って押圧するようになっている。
【００５０】
以下、図７を基に、必要に応じて図１〜図６を参照しながら本発明の作用について説明する。図７は、本発明の作用を説明するための説明図であり、（イ）は、原稿積載トレイ２０２上に積載された混載原稿束Ｐにおける縦置き原稿Ｐ１が最上位に位置した状態、（ロ）は、同横置き原稿Ｐ２が最上位に位置した状態をそれぞれ示している。
【００５１】
まず、一対の規制ガイド２０５（前部および後部規制ガイド２０５ａ，２０５ｂ）は、図７の（イ）および（ロ）に示すように、それらの間の内寸法が縦置き原稿Ｐ１の前後幅寸法Ｌ１と同一になるように調節される。この状態でピックアップローラ５２は、規制ガイド２０５間の中央部に位置している。そして、混載原稿束Ｐは、縦置き原稿Ｐ１および横置き原稿Ｐ２の双方の後部端面が原稿揃えの基準となる後部規制ガイド２０５ａと当接するとともに、双方の上流側（左側）端面が面一になるように揃えられる。そして、このように揃えられた混載原稿束Ｐは、原稿積載トレイ２０２の規制ガイド２０５間に載置されピックアップローラ５２の駆動によって１枚ずつの原稿が原稿情報の読み取りに供される。
【００５２】
そして、図７の（イ）に示すように、混載原稿束Ｐの内の縦置き原稿Ｐ１が最上位に位置した状態では、当該縦置き原稿Ｐ１は、ピックアップローラ５２の左右方向に延びる中心線に対して前後対象になっているため、ピックアップローラ５２を境にして縦置き原稿Ｐ１の前後に加わる力が同一になっているため、縦置き原稿Ｐ１は、ピックアップローラ５２の駆動で斜行することなく真っ直ぐに下流側に向けて繰り出されることになる。
【００５３】
これに対し、図７の（ロ）に示すように、混載原稿束Ｐにおいて前後幅寸法が縦置き原稿Ｐ１より短い横置き原稿Ｐ２が最上位に位置した状態では、ピックアップローラ５２の作用点をＯ１、横置き原稿Ｐ２が回動するための支点Ｏと作用点Ｏ１との間の前後方向の距離をＨ１、従動ローラ６２の作用点をＯ２、支点Ｏと作用点Ｏ２との間の距離をＨ３とするとともに、ピックアップローラ５２が横置き原稿Ｐ２を搬送方向（図７の左方）に引っ張る引張り力をＦ１、従動ローラ６２が横置き原稿Ｐ２の支点Ｏ回りの回動を阻止する後方に向う摩擦力をＦ３とした場合、ピックアップローラ５２により横置き原稿Ｐ２を支点Ｏ回りに時計方向に回動させるモーメントＭ１は「Ｆ１×Ｈ１」となる一方、従動ローラ６２がこの回動を阻止するモーメントＭ３は「Ｆ３×Ｈ３」となる。
【００５４】
そして、Ｍ１＞Ｍ３の場合、すなわち、「Ｆ１×Ｈ１」＞「Ｆ３×Ｈ３」の場合には横置き原稿Ｐ２が支点Ｏ回りに時計方向に回動するが、距離Ｈ３は距離Ｈ１より長いこと、摩擦力Ｆ３は従動ローラ６２が回転しない滑り摩擦であること、および従動ローラ支持軸６３の横置き原稿Ｐ２に対する押圧力は、板ばね部６１１の弾性力によりピックアップローラ５２の横置き原稿Ｐ２に対する押圧力より大きくなっていることによって、モーメントＭ１がモーメントＭ３より大きくなることはなく、したがって、たとえ横置き原稿Ｐ２が混載原稿束Ｐにおいて最上位に位置しても、従動ローラ６２に阻止されることによって当該横置き原稿Ｐ２が支点Ｏ回りに回動することが確実に防止される。
【００５５】
以上詳述したように、本発明に係る原稿給紙装置２０は、前後幅サイズの異なる縦置き原稿Ｐ１および横置き原稿Ｐ２が積層されてなる混載原稿束Ｐを積載可能に構成された原稿積載トレイ２０２と、この原稿積載トレイ２０２に積載された混載原稿束Ｐから原稿を１枚ずつ繰り出して所定の原稿画像読み取り位置へ給送する原稿給送ユニット３０とを備え、原稿給送ユニット３０は、原稿積載トレイ２０２に積載された混載原稿束Ｐの先端縁部と対向する状態で原稿積載トレイ２０２の幅方向中央部に設けられたピックアップローラ５２を有してなるものであり、ピックアップローラ５２の一方の端部の外側位置に原稿の表面に当接して摩擦力を付与する摩擦力付与部材（本実施形態では従動ローラ部材６０）が設けられ、この摩擦力付与部材は、原稿の表面に対する当接面がピックアップローラ５２より原稿給紙方向の上流側に位置するように設置位置が設定されている。
【００５６】
したがって、原稿積載トレイ２０２に積載された混載原稿束Ｐの最上位の原稿は、ピックアップローラ５２の駆動回転によって順次繰り出されて原稿画像読み取り位置へ向けて送り出されることになる。そして、混載原稿束Ｐ中に存在する前後幅サイズが小さい方の各小サイズ原稿（横置き原稿Ｐ２）を摩擦付与部材が設けられている側と反対側に寄せた状態で混載原稿束Ｐを形成し、この混載原稿束Ｐを原稿積載トレイ２０２に積載してピックアップローラ５２を駆動すれば、ピックアップローラ５２の駆動で繰り出される原稿が幅サイズの大きい大サイズ原稿（縦置き原稿Ｐ１）の場合には、ピックアップローラ５２が大サイズ原稿の幅方向の中央部に位置していることによる原稿幅方向のバランス確保で大サイズ原稿は斜行しない。
【００５７】
これに対し、混載原稿束Ｐの最上位の原稿が横置き原稿Ｐ２になったときには、当該横置き原稿Ｐ２は、ピックアップローラ５２に対して原稿幅方向でバランスが確保されていない状態になっているため、横置き原稿Ｐ２のピックアップローラ５２に当接している方の側部（前方の規制ガイド２０５側の側部）が他方の側部（後方の規制ガイド２０５側の側部）より速やかに前進する傾向になることから、横置き原稿Ｐ２に他方の側部の所定の支点Ｏ回りのモーメントＭ１が作用し、これによって横置き原稿Ｐ２が斜行しようとするが、摩擦力付与部材をピックアップローラ５２の一方の側部側に設けておくことにより、横置き原稿Ｐ２の表面に対する当接面がピックアップローラ５２より原稿給紙方向の上流側に位置設定された当該摩擦付与部材の摩擦力がモーメントに対抗するため、横置き原稿Ｐ２の斜行を阻止することができる。
【００５８】
このように、摩擦力付与部材を、原稿の表面に対する当接面がピックアップローラ５２より原稿給紙方向の上流側に位置するように設けておくことにより、簡単な構成でありながら、混載混載原稿束Ｐであっても横置き原稿Ｐ２が斜行することを確実に防止することができ、原稿を常に適正な姿勢で原稿読み取り位置へ送り込むことが可能になるため、不適正な原稿の読み取りを確実に防止することができる。
【００５９】
そして、本実施形態のように、摩擦力付与部材として混載原稿束Ｐの上面に弾性的に当接して従動回転する従動ローラ６２を採用することにより、横置き原稿Ｐ２に押圧当接した従動ローラ６２の従動回転によって当該横置き原稿Ｐ２の円滑な送り込みを確保し得るようにした上で、横置き原稿Ｐ２の所定の支点Ｏ回りに作用するモーメントＭ１に対し従動ローラ６２の軸心方向に向う滑り摩擦力が対抗することで横置き原稿Ｐ２の斜行を確実に防止することができる。
【００６０】
また、ピックアップローラ５２は、原稿積載トレイ２０２における原稿搬送方向の中心線を基準にして原稿幅方向の対称位置を占めるように設置位置が設定されているため、混載混載原稿束Ｐが原稿積載トレイ２０２に積載された状態で、ピックアップローラ５２は、大サイズ原稿の幅方向の中央位置に位置し、これによって大サイズ原稿を、特に従動ローラ６２の作用を受けることなくピックアップローラ５２の駆動で真っ直ぐに搬送することができる。
【００６１】
また、原稿積載トレイ２０２には、幅方向の両端縁から上方に向けて突設された原稿搬送方向に延びる規制ガイド２０５がそれぞれ設けられているため、原稿積載トレイ２０２に積載される混載原稿束Ｐの縦置き原稿Ｐ１の側縁部を規制ガイド２０５に当接させることにより当該混載原稿束Ｐの原稿積載トレイ２０２上での位置決めおよび原稿揃えを容易に行うことができる。
【００６２】
本発明は、上記の実施形態に限定されるものではなく、以下の内容をも包含するものである。
【００６３】
（１）上記の実施形態においては、本発明に係る摩擦力付与部材として従動ローラ６２を備えた従動ローラ部材６０が採用されているが、本発明は、摩擦力付与部材が従動ローラ６２を備えた従動ローラ部材６０であることに限定されるものではなく、従動ローラ部材６０の軸支片６１２間にフェルト等の適当な摩擦力を有する摩擦部材を取り付けるようにしてもよい。こうすることによって、フェルト等の摩擦部材が横置き原稿Ｐ２の表面に押圧当接されるため、これによる摩擦力で横置き原稿Ｐ２の斜行が防止される。
【００６４】
（２）上記の実施形態において、混載原稿束Ｐの厚み寸法の減少に応じて、例えばねじ構造などで従動ローラ６２の混載原稿束Ｐの上面に対する当接位置が僅かずつ下降するように構成してもよい。こうすることで、混載原稿束Ｐに対する押圧力を一定に保つことができるため、混載原稿束Ｐに対して常に一定の摩擦力を付与することが可能になり、原稿束の厚みに拘らず常に適正に原稿の斜行を防止することができる。
【００６５】
（３）上記の実施形態においては、混載原稿束Ｐが一例としてＡ４サイズの縦置き原稿Ｐ１と横置き原稿Ｐ２とからなるものを挙げているが、本発明は、混載原稿束ＰがＡ４サイズの縦置き原稿Ｐ１と横置き原稿Ｐ２とからなるものであることに限定されるものではなく、例えばＡ４サイズの原稿と、Ｂ５サイズの原稿とがいずれも横置きされた混載原稿束や、縦置きされたＢ５サイズの原稿と、横置きされたＡ４サイズの原稿との混載原稿束など各種の組み合わせの混載原稿束に適用することができる。
【００６６】
（４）上記の実施形態においては、混載原稿束Ｐは、縦置き原稿Ｐ１および横置き原稿Ｐ２の双方が後部規制ガイド２０５ａに当接するように揃えられる例について説明したが、本発明は、縦置き原稿Ｐ１および横置き原稿Ｐ２の双方が後部規制ガイド２０５ａと当接するように混載原稿束Ｐが揃えられることに限定されるものではなく、従動ローラ６２がピックアップローラ５２より上流側であって、横置き原稿Ｐ２と当接する位置に設けられている限り従動ローラ６２の周面と横置き原稿Ｐ２の表面との間の滑り摩擦によって横置き原稿Ｐ２の回動支点回りの回動を阻止することができるため、ピックアップローラ５２の駆動による横置き原稿Ｐ２の斜行を防止することができる。
【００６７】
（５）上記の実施形態においては、原稿給紙装置２０が適用される画像形成装置１０として画像形成部１３にイエロー用ユニット１３Ｙ、マゼンタ用ユニット１３Ｍ、シアン用ユニット１３Ｃおよびブラック用ユニット１３Ｋが設けられてなる、いわゆるタンデムタイプのカラーコピー機を挙げているが、本発明は、画像形成装置１０がこのようなカラーコピー機であることに限定されるものではなく、ブラックだけでコピーを行う、いわゆるモノクロタイプの複写機であってもよい。
【図面の簡単な説明】
【００６８】
【図１】本発明に係る原稿給紙装置が適用された画像形成装置の一実施形態の概略を示す正面断面視の説明図である。
【図２】原稿給紙装置の一実施形態を示す斜視図である。
【図３】原稿給紙装置の要部の断面図であり、（イ）は、ピックアップローラを保持するハウジングが退避姿勢に姿勢設定された状態、（ロ）は、同ハウジングが給紙姿勢に姿勢設定された状態をそれぞれ示している。
【図４】原稿給紙装置の平面図である。
【図５】原稿給送ユニットの斜視図である。
【図６】従動ローラ部材の一実施形態を示す斜視図である。
【図７】本発明の作用を説明するための説明図であり、（イ）は、原稿積載トレイ上に積載された混載原稿束における縦置き原稿が最上位に位置した状態、（ロ）は、同横置き原稿が最上位に位置した状態をそれぞれ示している。
【図８】従来の原稿給紙装置における原稿の斜行防止構造を説明するための平面視の説明図である。
【符号の説明】
【００６９】
１０  画像形成装置            
１１  装置本体                １２  原稿読取部
１２１  光学系ユニット        １２２  コンタクトガラス
１２３  載置原稿用コンタクトガラス
１２４  自動給紙用コンタクトガラス
１３  画像形成部              １３Ｙ  イエロー用ユニット
１３Ｍ  マゼンタ用ユニット    １３Ｃ  シアン用ユニット
１３Ｋ  ブラック用ユニット    １３１  感光体ドラム
１３２  現像装置              １３３  帯電部
１３４  露光部                １３５  クリーニング装置
１３６  搬送ベルト            １３７  駆動ローラ
１３８  従動ローラ            １４  定着部
１４１  ヒートローラ          １４２  加圧ローラ
１５  用紙貯留部              １５１  用紙トレイ
１５２  ピックアップローラ    １５３  給紙搬送路
１６  用紙反転部              １６１  中間トレイ
１６２  切換ガイド            １６３  反転ローラ対
１７  排紙トレイ              １７１  排紙搬送路
１７２  返送搬送路            １８  反転搬送路
２０  原稿給紙装置            ２０１  本体部
２０２  原稿積載トレイ        ２０３  自動給紙部
２０４  原稿排紙トレイ        ２０５  規制ガイド
２０６  カバー                ２０７  フレーム部
２０８  搬送ガイド板          ２０９  レジストローラ
３０  原稿給送ユニット        ３１  ローラ軸
４０  ハウジング              ４１  天板
４２  側板                    ５０  給送ローラ対
５１  給送ローラ              ５１１  給送ローラ側ワンウエイクラッチ
５２  ピックアップローラ      ５２１  ピックアップローラ側ワンウエイクラッチ
５３  ピックアップローラ軸    ５４  搬送ローラ
６０  従動ローラ部材          ６１  従動ローラ支持部材
６１１  板ばね部              ６１２  軸支片
６１３  貫通孔                ６２  従動ローラ
６３  従動ローラ支持軸        Ｐ０  用紙
Ｐ  原稿束（混載原稿束）      Ｐ１  縦置き原稿
Ｐ２  横置き原稿              Ｆ１  引張り力
Ｆ２  摩擦力                  Ｈ１，Ｈ２，Ｈ３  距離
Ｍ１，Ｍ２，Ｍ３  モーメント  Ｏ  支点
Ｏ１，Ｏ２  作用点
【図１】
2005314063.tif 000003
【図２】
2005314063.tif 000004
【図３】
2005314063.tif 000005
【図４】
2005314063.tif 000006
【図５】
2005314063.tif 000007
【図６】
2005314063.tif 000008
【図７】
2005314063.tif 000009
【図８】
2005314063.tif 000010